(57)【要約】【課題】  本発明は、再生状態等の各種情報を表示する表示部を正面から目視できないように配置した場合にも、表示部の表示内容を確認しながら操作することができる映像再生装置を提供することを課題とする。【解決手段】  リモコンからのリモート信号が正面受光部４１によって受光されたものでない場合、すなわち、表示部２と異なる面に設けられている上面受光部４２もしくは下面受光部４３によって受光されたものである場合には、中央制御部１１は、リモコンから受信されたリモート信号が、各種設定値を設定するためのＯＳＤ画面の表示を伴うものであるか否かを判別し、ＯＳＤ画面の表示を伴うものでない場合には、ＯＳＤ制御部１６を制御してビデオ信号に、表示部２に表示される案内情報を表示部２と同様の表示レイアウトで表示する案内画面を重畳して出力する。【選択図】        図２ 
2005310259.tif 000002
【特許請求の範囲】
【請求項１】
記録媒体に記録されている映像情報の再生に際し、前記記録媒体を装置内に挿入するための挿入口が形成されている面に設けられた表示手段に案内情報を表示する映像再生装置であって、
前記表示手段に表示される前記案内情報を前記表示手段と同様の表示レイアウトで表示する案内画面を前記映像情報に重畳して出力する案内画面表示手段を具備することを特徴とする映像再生装置。
【請求項２】
配置状態を検出して前記表示手段が目視できる状態であるか否かを判別する配置状態判別手段を具備し、
前記案内画面表示手段は、前記配置状態判別手段によって前記表示手段が目視できない状態であると判別された場合に、前記案内画面を前記映像情報に重畳して出力させることを特徴とする請求項１記載の映像再生装置。
【請求項３】
リモートコントロール装置からのリモート信号を受光する受光手段を具備し、
前記案内画面表示手段は、前記受光手段による前記リモート信号の受光時に、前記案内画面を前記映像情報に重畳して出力させることを特徴とする請求項１又は２記載の映像再生装置。
【請求項４】
前記案内画面表示手段は、前記リモートコントロール装置からの前記リモート信号が前記案内画面とは異なる他のＯＳＤ画面の表示を伴う場合には、前記案内画面を前記映像情報に重畳して出力させないことを特徴とする請求項３記載の映像再生装置。
【請求項５】
前記表示手段とは異なる面に設けられ、リモートコントロール装置からのリモート信号を受光する受光手段を具備し、
前記配置状態判別手段は、前記表示手段とは異なる面に設けられた前記受光手段による前記リモート信号の受光時に、前記表示手段が目視できない状態であると判別することを特徴とする請求項２記載の映像再生装置。
【発明の詳細な説明】
【技術分野】
【０００１】
本発明は、ＤＶＤ（Digital Versatile Disk）等の記録媒体に記録されている映像情報を再生する映像再生装置に関し、特に記録媒体を装置内に挿入するための挿入口が形成されている面に再生状態等の各種情報を表示する表示部が設けられている映像再生装置に関する。
【背景技術】
【０００２】
旧来、ＤＶＤ等の記録媒体に記録されている映像情報を再生する映像再生装置は、映像情報を表示するディスプレイ装置の受け台内に水平姿勢で配置するのが一般的であったが、近年は、液晶ディスプレイ等の薄型のディスプレイ装置の登場や、生活様式の多様化によって、ディスプレイ装置に対する映像再生装置の配置に自由度を持たせるために、縦置きおよび横置きのいずれにも選択的に使用可能とした映像再生装置が提案されている（例えば、特許文献１参照）。
【０００３】
しかしながら、従来技術では、ディスプレイ装置に対する映像再生装置の配置によっては、映像再生装置に設けられた再生状態等の各種情報を表示する表示部を正面から目視できない場合があり、ユーザがリモートコントロール装置（以下、リモコンと称す）を用いて操作を行う際に表示部を確認することができず、操作に支障をきたしてしまうという問題点があった。
【特許文献１】特開２００２−３５８７６９号公報
【発明の開示】
【発明が解決しようとする課題】
【０００４】
本発明は斯かる問題点を鑑みてなされたものであり、その目的とするところは、再生状態等の各種情報を表示する表示部を正面から目視できないように配置した場合にも、表示部の表示内容を確認しながら操作することができ、ディスプレイ装置に対する配置の自由度をさらに向上させることができる映像再生装置を提供する点にある。
【課題を解決するための手段】
【０００５】
本発明は上記課題を解決すべく、以下に掲げる構成とした。
本発明の映像再生装置は、記録媒体に記録されている映像情報の再生に際し、前記記録媒体を装置内に挿入するための挿入口が形成されている面に設けられた表示手段に案内情報を表示する映像再生装置であって、前記表示手段に表示される前記案内情報を前記表示手段と同様の表示レイアウトで表示する案内画面を前記映像情報に重畳して出力する案内画面表示手段を具備することを特徴とする。
【０００６】
さらに、本発明の映像再生装置は、配置状態を検出して前記表示手段が目視できる状態であるか否かを判別する配置状態判別手段を具備し、前記案内画面表示手段は、前記配置状態判別手段によって前記表示手段が目視できない状態であると判別された場合に、前記案内画面を前記映像情報に重畳して出力させることを特徴とする。
【０００７】
さらに、本発明の映像再生装置は、リモートコントロール装置からのリモート信号を受光する受光手段を具備し、前記案内画面表示手段は、前記受光手段による前記リモート信号の受光時に、前記案内画面を前記映像情報に重畳して出力させることを特徴とする。
【０００８】
さらに、本発明の映像再生装置は、前記案内画面表示手段は、前記リモートコントロール装置からの前記リモート信号が前記案内画面とは異なる他のＯＳＤ画面の表示を伴う場合には、前記案内画面を前記映像情報に重畳して出力させないことを特徴とする。
【０００９】
さらに、本発明の映像再生装置は、前記表示手段とは異なる面に設けられ、リモートコントロール装置からのリモート信号を受光する受光手段を具備し、前記配置状態判別手段は、前記表示手段とは異なる面に設けられた前記受光手段による前記リモート信号の受光時に、前記表示手段が目視できない状態であると判別することを特徴とする。
【発明の効果】
【００１０】
本発明の映像再生装置は、表示部に表示される案内情報を表示部と同様の表示レイアウトで表示する案内画面を映像情報に重畳して出力するように構成することにより、再生状態等の各種情報を表示する表示部を正面から目視できないように配置した場合にも、ディスプレイ装置に表示された案内画面によって表示部の表示内容を確認しながら操作することができ、ディスプレイ装置に対する配置の自由度をさらに向上させることができるという効果を奏する。
【発明を実施するための最良の形態】
【００１１】
以下、本発明の実施の形態を図面に基づいて詳細に説明する。
【００１２】
図１は、本発明に係る映像再生装置の実施の形態の構成を示す外観斜視図であり、図２は、本発明に係る映像再生装置の実施の形態の構成を示すブロック図である。
【００１３】
本実施の形態の映像再生装置１は、ハードディスク、ＤＶＤ等の記録媒体に記憶されている映像情報および音響情報を再生する情報再生装置であり、液晶テレビ等の表示および音声出力手段であるディスプレイ装置に接続されて用いられ、ディスプレイ装置にビデオ信号とオーディオ信号とを供給する。
【００１４】
映像再生装置１の前面部には、図１を参照すると、再生状態等の案内情報を表示する液晶パネル等の表示部２と、ハードディスク、ＤＶＤ等の記録媒体であるディスク状記録媒体５を装置内に挿入するための挿入口３と、リモコン６からの赤外光（リモート信号）が入射される正面受光部４１とが設けられている。また、映像再生装置１の上面部には、上面受光部４２が、下面部には、下面受光部４３がそれぞれ設けられており、リモコン６から正面受光部４１、上面受光部４２もしくは下面受光部４３に入射される赤外光によって動作を制御できるように構成されている。
【００１５】
映像再生装置１は、図２を参照すると、装置全体を制御する中央制御部１１と、信号処理部１２と、サーボ制御部１３と、ビデオデコーダ１４と、オーディオデコーダ１５と、ＯＳＤ制御部１６と、ＯＳＤ画面記憶部１７とからなり、表示部２と、正面受光部４１、上面受光部４２および下面受光部４３とが中央制御部１１に接続されている。
【００１６】
信号処理部１２は、中央制御部１１の制御下にあり、ディスク状記録媒体５に記録された映像情報および音響情報を読み出して、復調処理、符号誤り訂正処理およびＤ／Ａ変換処理を行ってビデオ信号成分とオーディオ信号成分とからなる再生信号を生成し、生成した再生信号をビデオデコーダ１４およびオーディオデコーダ１５に出力する。
【００１７】
サーボ制御部１３は、中央制御部１１の制御下にあり、ディスク状記録媒体５に記録された映像情報および音響情報を読み出すために必要なディスク回転制御と光ピックアップのトラッキングおよびフォーカシング制御を行う。
【００１８】
ビデオデコーダ１４は、信号処理部１２から出力される再生信号の中から画像となるビデオ信号を分離して生成し、ビデオデコーダ１４によって生成されたビデオ信号は、ディスプレイ装置に出力される。
【００１９】
オーディオデコーダ１５は、信号処理部１２から出力される再生信号の中からオーディオ信号を分離して生成し、オーディオデコーダ１５によって生成されたオーディオ信号は、ディスプレイ装置に出力される。
【００２０】
ＯＳＤ制御部１６は、中央制御部１１からの指示に基づいて、表示部２に表示される案内情報を表示部２と同様の表示レイアウトで表示する案内画面と、当該案内画面とは異なる各種設定値を設定するためのＯＳＤ画面とを生成し、ＯＳＤ制御部１６によって生成された案内画面およびＯＳＤ画面は、ビデオデコーダ１４から出力されるビデオ信号に重畳されてディスプレイ装置に出力される。
【００２１】
ＯＳＤ画面記憶部１７は、案内画面およびＯＳＤ画面を生成するためのデータが記憶されているデータ記憶手段である。
【００２２】
次に、本実施の形態の動作について図３および図４を参照して詳細に説明する。
図３は、本発明に係る映像再生装置の実施の形態の動作を説明するためのフローチャートであり、図４は、本発明に係る映像再生装置の実施の形態の設置例を示す説明図である。
【００２３】
中央制御部１１は、リモコン６からのリモート信号を受信すると（ステップＡ１）、リモコン６からのリモート信号が正面受光部４１によって受光されたものか否かを判別し（ステップＡ２）、リモコン６からのリモート信号が正面受光部４１によって受光されたものである場合、すなわち、表示部２と同じ面に設けられている正面受光部４１によって受光されたものである場合には、リモート信号に応じた処理動作を実行する（ステップＡ３）。
【００２４】
リモコン６からのリモート信号が正面受光部４１によって受光されたものでない場合、すなわち、図４に示すように、上面が目視される状態で映像再生装置１がディスプレイ装置７の左側に配置され、表示部２と異なる面に設けられている上面受光部４２によって受光されたものである場合や、下面が目視される状態で映像再生装置１がディスプレイ装置７の下側もしくは右側に配置され、表示部２と異なる面に設けられている下面受光部４３によって受光されたものである場合には、中央制御部１１は、リモコン６から受信されたリモート信号が、各種設定値を設定するためのＯＳＤ画面の表示を伴うものであるか否かを判別する（ステップＡ４）。なお、図４に示す矢印ａ、ｂ、ｃは、映像再生装置１の正面を指し示している。
【００２５】
リモコン６から受信されたリモート信号が、各種設定値を設定するためのＯＳＤ画面の表示を伴うものである場合には、ステップＡ３に至り、中央制御部１１は、リモート信号に応じた処理動作を実行する。
【００２６】
リモコン６から受信されたリモート信号が、各種設定値を設定するためのＯＳＤ画面の表示を伴うものでない場合には、中央制御部１１は、ＯＳＤ制御部１６を制御してビデオ信号に案内画面を重畳して出力し、図４に示すように、ディスプレイ装置７に案内画面７１を表示させた後（ステップＡ５）、ステップＡ３に至り、中央制御部１１は、リモート信号に応じた処理動作を実行する。なお、ディスプレイ装置７に表示された案内画面７１は、リモコン６からのリモート信号が予め定められた所定時間受信されない場合に、消去される。
【００２７】
以上説明したように、本実施の形態によれば、表示部２に表示される案内情報を表示部２と同様の表示レイアウトで表示する案内画面７１を映像情報に重畳して出力するように構成することにより、再生状態等の各種情報を表示する表示部２を正面から目視できないように配置した場合にも、ディスプレイ装置７に表示された案内画面７１によって表示部の表示内容を確認しながら操作することができ、ディスプレイ装置７に対する配置の自由度をさらに向上させることができるという効果を奏する。
【００２８】
なお、本実施の形態では、正面受光部４１、上面受光部４２もしくは下面受光部４３のいずれによってリモート信号が受光されるかによって、映像再生装置１の配置状態を判別し、表示部２が目視できない配置である場合に、ディスプレイ装置７に案内画面７１を表示させるように構成したが、映像再生装置１の姿勢を検出するセンサ（傾斜センサ等）を設け、当該センサによって映像再生装置１の配置状態を判別するようにしても良い。
【００２９】
また、初期設定時等に、ディスプレイ装置７に案内画面７１を表示させるか否かをユーザが選択できるように構成しても良く、さらに、案内画面７１をユーザの確認しやすいサイズに任意に変更できるように構成しても良い。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係る映像再生装置の実施の形態の構成を示す外観斜視図である。
【図２】本発明に係る映像再生装置の実施の形態の構成を示すブロック図である。
【図３】本発明に係る映像再生装置の実施の形態の動作を説明するためのフローチャートである。
【図４】本発明に係る映像再生装置の実施の形態の設置例を示す説明図である。
【符号の説明】
【００３２】
１  映像再生装置
２  表示部（表示手段）
３  挿入口
５  ディスク状記録媒体
６  リモートコントロール装置（リモコン）
７  ディスプレイ装置
１１  中央制御部（配置状態判別手段）
１２  信号処理部
１３  サーボ制御部
１４  ビデオデコーダ
１５  オーディオデコーダ
１６  ＯＳＤ制御部（案内画面表示手段）
１７  ＯＳＤ画面記憶部
４１  正面受光部
４２  上面受光部
４３  下面受光部
７１  案内画面
【図１】
2005310259.tif 000003
【図２】
2005310259.tif 000004
【図３】
2005310259.tif 000005
【図４】
2005310259.tif 000006